(57)【特許請求の範囲】
【請求項１】
シューズのソール構造体において、
上方に配置された第１のプレートと、
前記第１のプレートとの間に間隔を隔てて下方に配置された第２のプレートと、
前記第１、第２のプレート間において各々上下方向に配設されるとともに、前記第１のプレートに連結された上端、および前記第２のプレートに連結された下端をそれぞれ有し、前後方向に間隔を隔てて配置された複数の柱状部材と、
前記第２のプレートとの間に間隔を隔てて前記第２のプレートの下方に配置された第３のプレートとを備え、
前記柱状部材の前記上端が前記下端よりも前方位置に配置されることで前記柱状部材が前方に傾斜して配設され、前記第２のプレートが後方に向かうにしたがい斜め上方に傾斜する傾斜部を有し、前記柱状部材の前記下端が前記傾斜部に連結されており、前記柱状部材の前記下端の連結部位において前記第２のプレートの前記傾斜部の下方には、当該第２のプレートおよび前記第３のプレートにより空隙が形成されている、
ことを特徴とするシューズのソール構造体。
【請求項２】
請求項１において、
シューズの着地時には、前記柱状部材が前記第２のプレートの前記傾斜部を下方に弾性変形させるとともに、シューズの離地時には、前記柱状部材が前記上端を介して前記第１のプレートに対し、斜め前方に弾性反発力を作用させている、
ことを特徴とするシューズのソール構造体。
【請求項３】
請求項１において、
前記第１、第２のプレートおよび前記柱状部材が、いずれも硬質樹脂製であって、一体成形されている、
ことを特徴とするシューズのソール構造体。
【請求項４】
請求項１において、
前記第２のプレートが、複数の波形状部を有する波形プレートである、
ことを特徴とするシューズのソール構造体。
【請求項５】
請求項１において、
前記空隙が、前記各柱状部材に対応して複数個設けられている、
ことを特徴とするシューズのソール構造体。
【請求項６】
請求項１において、
前記第２、第３のプレートが、各々複数の波形状部を有する波形プレートである、
ことを特徴とするシューズのソール構造体。
【請求項７】
請求項６において、
前記第２のプレートの上方への膨出部および前記第３のプレートの下方への膨出部が上下に対向配置されている、
ことを特徴とするシューズのソール構造体。
【請求項８】
請求項７において、
前記第２のプレートの下方への膨出部および前記第３のプレートの上方への膨出部が連結されている、
ことを特徴とするシューズのソール構造体。
【請求項９】
請求項１において、
当該ソール構造体がシューズの踵部に設けられている、
ことを特徴とするシューズのソール構造体。
【発明の詳細な説明】
【技術分野】
【０００１】
本発明は、シューズ用ソール構造体に関し、詳細には、クッション性を維持しつつ、離地方向への反発力を向上できるソール構造体に関する。
【背景技術】
【０００２】
ソール構造体として、たとえば特開２００３−３３９４０５号公報に示すものが本願出願人により提案されている（同公報の図２参照）。このソール構造体は、上下方向に一定の空隙を介して対向配置された上部プレートおよび下部プレートと、これら上下部プレート間に配設されるとともに、その波形状部分の上側凸面が上部プレートに固着されかつ下側凸面が下部プレートに固着された波形プレートとから構成されている。
【０００３】
また、国際公開第２００６／１２９８３７号パンフレットには、同パンフレットの第１Ａ図に示すように、上部プレートと、その下方に配設され、上部プレートとの間で空隙を形成する２つの膨出部を有する波状の下部プレートと、下部プレートの各膨出部間に形成された上凸部分を上部プレートに連結する弾性ブロックとを備えたソール構造体が記載されている。
【０００４】
さらに、特開２００９−２４０５９０号公報には、同公報の図１に示すように、上方に配置された上部シート部と、その下面にそれぞれ設けられるとともに、下方に凸状に湾曲する下凸状湾曲部を有しかつ上部シート部に対して前後方向に一部オーバラップしつつ並設された複数の湾曲シート部とを備えたソール構造体が記載されている。
【発明の概要】
【発明が解決しようとする課題】
【０００５】
上述した特開２００３−３３９４０５号公報に示すソール構造体においては、シューズの着地時には、波形プレートの波形状部分が扁平となるように圧縮変形することにより、上下部プレート間の空隙がクッションホールとして作用して、衝撃荷重が吸収される。
【０００６】
しかしながら、この場合には、波形プレートの波形状部分の上側凸面が上部プレートに固着されかつ下側凸面が下部プレートに固着されているために、波形プレートの上側凸面および下側凸面が上下部プレートで拘束されており、その結果、波形プレートの波形状部分の圧縮変形が抑制されている。また、シューズの離地時に、圧縮変形していた波形プレートが解放する弾性反発力は、波形プレートの上側凸面を介して上部プレートに対し単に上方に向かって作用するにすぎない。
【０００７】
上記国際公開第２００６／１２９８３７号パンフレットに示すソール構造体においては、シューズの着地時には、下部プレートの各膨出部が扁平となるように圧縮変形することにより、上下部プレート間の空隙がクッションホールとして作用して、衝撃荷重が吸収される。
【０００８】
この場合には、下部プレートの各膨出部間の上凸部分が弾性ブロックを介して上部プレートに連結されているので、各膨出部の圧縮変形が比較的容易であり、その結果、クッション性が向上している。
【０００９】
しかしながら、このソール構造体は、着地時のクッション性の向上を主眼としているため、シューズの離地時に、圧縮変形していた膨出部および弾性ブロックが解放する弾性反発力は、上部プレートに対し単に上方に向かって作用するにすぎない。
【００１０】
上記特開２００９−２４０５９０号公報に示すソール構造体においては、シューズの着地時には、湾曲シート部の下凸状湾曲部が圧縮変形することにより、衝撃荷重が吸収される。
【００１１】
この場合には、圧縮変形した下凸状湾曲部の後方側端部が、当該湾曲シート部の隣の湾曲シート部を押圧して圧縮変形させており、その結果、ソール構造体全体のクッション性がさらに向上している。また、この場合には、シューズの着地後、前方に向かって荷重が移動していくと、各湾曲シート部において下凸状湾曲部から前方側端部にかけての部分が前方側に向かって順に折り畳まれるようにして変形する。これにより、走行時の前方への荷重移動がスムーズに行われ、ライド感が向上している。
【００１２】
しかしながら、このソール構造体は、着地時のクッション性および走行時のライド感の向上を主眼としているため、シューズの離地時に、折り畳まれるように変形していた各湾曲シート部が解放する弾性反発力は、上部シート部に対して上方または斜め後方に作用するにすぎない。
【００１３】
本発明は、このような従来の実情に鑑みてなされたもので、本発明が解決しようとする課題は、クッション性を維持しつつ、離地方向への反発力を向上できるソール構造体を提供しようとしている。
【課題を解決するための手段】
【００１４】
本発明に係るシューズ用ソール構造体は、上方に配置された第１のプレートと、第１のプレートとの間に間隔を隔てて下方に配置された第２のプレートと、これら第１、第２のプレート間において各々上下方向に配設されるとともに、第１のプレートに連結される上端、および第２のプレートに連結される下端をそれぞれ有し、前後方向に間隔を隔てて配置された複数の柱状部材と、第２のプレートとの間に間隔を隔てて第２のプレートの下方に配置された第３のプレートとを備えている。柱状部材は、上端が下端よりも前方位置に配置されることで、前方に傾斜して配設されている。第２のプレートは、後方に向かうにしたがい斜め上方に傾斜する傾斜部を有しており、柱状部材の下端はこの傾斜部に連結されている。柱状部材の下端の連結部位において第２のプレートの傾斜部の下方には、第２のプレートおよび第３のプレートにより空隙が形成されている（請求項１参照）。
【００１５】
本発明によれば、シューズの着地時には、柱状部材が弾性変形するとともに、柱状部材の下端が連結された第２のプレートの傾斜部が、柱状部材の下端で圧縮されて空隙の側に向かって弾性変形することにより、クッション性を向上できる。
【００１６】
しかも、この場合、シューズの離地時には、後方に向かうにしたがい斜め上方に傾斜した第２のプレートの傾斜部が弾性変形した後に元に戻る際に、柱状部材の上端に対して斜め前方に反発力を作用させる。これにより、シューズの離地方向への反発力を向上できる。
【００１７】
さらに、この場合には、前後方向に間隔を隔てて配置された複数の柱状部材が、走行中の前方への荷重移動にともなって、第２のプレートの対応する傾斜部を順次圧縮変形させるとともに、離地方向に反発力を作用させるので、走行中に前方へのスムーズな体重移動を実現できると同時に、走行中のライド感を向上できる。
【００１８】
本発明においては、シューズの着地時には、柱状部材が第２のプレートの傾斜部を下方に弾性変形させるとともに、シューズの離地時には、柱状部材が上端を介して第１のプレートに対し、斜め前方に弾性反発力を作用させている（請求項２参照）。
【００１９】
本発明においては、第１、第２のプレートおよび柱状部材が、いずれも硬質樹脂製であって、一体成形されている（請求項３参照）。この場合には、ソール構造体全体が単一のユニットから構成されるので、シューズの組立作業が容易になる。
【００２０】
本発明においては、第２のプレートが、複数の波形状部を有する波形プレートである。この場合には、柱状部材の下端が連結される波形プレートの傾斜部は、波形プレートの波形状部において後方に向かうにしたがい上方に傾斜する部分である（請求項４参照）。
【００２１】
本発明においては、柱状部材の下端が連結される第２のプレートの傾斜部の下方の空隙が、各柱状部材に対応して複数個設けられている（請求項５参照）。この場合には、着地時に柱状部材により弾性変形させられる第２のプレートの傾斜部が、当該傾斜部の隣の傾斜部の弾性変形の影響を受けにくくなっており、これにより、走行中に荷重が前方に移動していく際に、各傾斜部がそれぞれ独立して弾性変形することができ、その結果、着地時のクッション性、離地時の反発性および走行中のライド感の制御が容易になる。
【００２２】
本発明においては、第２、第３のプレートが、各々複数の波形状部を有する波形プレートである（請求項６参照）。
【００２３】
本発明において、第２のプレートの上方への膨出部および第３のプレートの下方への膨出部が上下に対向配置されている（請求項７参照）。この場合には、柱状部材の下端が連結される第２のプレートの傾斜部の下方に大きな空隙を確保できることにより、第２のプレートの傾斜部に対して大きな弾性変形量を許容でき、これにより、着地時のクッション性および離地時の反発性をさらに向上できる。
【００２４】
本発明において、第２のプレートの下方への膨出部および第３のプレートの上方への膨出部が連結されている（請求項８参照）。
【００２５】
本発明によるソール構造体は、シューズの踵部に設けられている（請求項９参照）。
【発明の効果】
【００２６】
以上のように、本発明に係るソール構造体によれば、上下に間隔を隔てて第１、第２のプレートを配置し、これら第１、第２のプレート間に複数の柱状部材を前後方向に間隔を隔てて配置するとともに、柱状部材の上端を下端よりも前方位置に配置することで柱状部材を前方に傾斜して配設し、後方に向かうにしたがい斜め上方に傾斜する傾斜部を第２のプレートに設け、柱状部材の下端を当該傾斜部に連結するとともに、柱状部材の下端の連結部位において第２のプレートの傾斜部の下方に空隙を形成するようにしたので、シューズの着地時には、柱状部材が弾性変形するとともに、柱状部材の下端が連結された第２のプレートの傾斜部が、柱状部材の下端で圧縮されて空隙の側に向かって弾性変形することにより、クッション性を向上できる。
【００２７】
しかも、この場合、シューズの離地時には、第２のプレートの傾斜部が弾性変形した後に元に戻る際に、柱状部材の上端に対して斜め前方に反発力を作用させることにより、シューズの離地方向への反発力を向上できる。
【００２８】
さらに、この場合には、前後方向に間隔を隔てて配置された複数の柱状部材が、走行中の前方への荷重移動にともなって、第２のプレートの対応する傾斜部を順次圧縮変形させるとともに、離地方向に反発力を作用させるので、走行中に前方へのスムーズな体重移動を実現できると同時に、走行中のライド感を向上できる。
【図面の簡単な説明】
【００２９】
【図１】本発明の一実施例によるシューズ用ソール構造体の外甲側側面図である。
【図２】図１のソール構造体の内甲側側面図である。
【図３】図１のソール構造体の底面図である。
【図４】図３のIV-IV線断面図である。
【図５】図１の拡大部分図である。
【図６】図１のVI-VI線断面図である。
【図７】図１のVII-VII線断面図である。
【図８】図１の拡大部分図であって、第２のプレートの傾斜角について説明するための図である。
【図９】（ａ）は、被験者に実際に走行してもらったときの蹴り出し時の力のベクトルが鉛直面に対してなす角度の時間的変化を示すグラフであり、（ｂ）は、蹴り出し時に後ろに蹴る力の時間的変化を示すグラフである。
【図９Ａ】被験者が走行している状態を示す図である。
【図１０】図１のソール構造体の一部を取り出して示す模式図である。
【図１１】図１０のソール構造体の着地時の作動を説明するための図である。
【図１２】図１０のソール構造体の離地時の作動を説明するための図である。
【図１３】本発明の他の実施例によるシューズ用ソール構造体の外甲側側面の拡大部分図である。
【発明を実施するための形態】
【００３０】
以下、本発明の実施例を添付図面に基づいて説明する。
図１ないし図１２は、本発明の一実施例によるシューズ用ソール構造体を示している。なお、以下の説明中、上方、下方、前方および後方とは、それぞれシューズの上方、下方、前方および後方を意味しており、すなわち、図１を例にとった場合、同図の右方、左方、上方および下方をそれぞれ指している。また、図１中、Ｈはソール構造体の踵部を、Ｍは中足部を、Ｆは前足部をそれぞれ示している。
【００３１】
図１および図２に示すように、このソール構造体１は、上方に配置されるとともに、踵部Ｈから中足部Ｍまで略平坦状に配設されかつ中足部Ｍを越えて前足部Ｆの踏付部分まで波状に延設された硬質樹脂製の第１のプレート２と、第１のプレート２との間に間隔を隔てて下方に配置されるとともに、踵部Ｈから中足部Ｍの前端を越えた辺りまで波状に配設された硬質樹脂製の第２のプレート３と、第１、第２のプレート２、３間において各々実質的に上下方向に配設され、第１、第２のプレート２、３に連結されるとともに、前後方向に間隔を隔てて配置された硬質樹脂製の複数の柱状部材４とを備えている。
【００３２】
第１のプレート２は、図３ないし図７に示すように、ソール構造体１の幅方向全体に延在しており、幅方向中央部分に配置され、幅方向に平坦状に形成された中央部２０と、その左右両側部に配置され、上方に向かって巻き上げられた左右一対の巻上げ部２１とを有している。また、第１のプレート２は、踵後端において上方に巻き上げられた巻上げ部２２を有している。
【００３３】
第２のプレート３は、図１、図２および図５に示すように、幅方向の稜線を有しかつ前後方向に進む複数の波形状部から構成された波形プレートであって、上方への膨出部３０および下方への膨出部３１を有している。また、第２のプレート３は、図３、図４、図６および図７に示すように、踵部Ｈの内甲側部分および外甲側部分に沿って配設されており、踵部Ｈの中央部分には設けられていない。
【００３４】
各柱状部材４は、図５に示すように、第１のプレート２に連結された上端４ａ、および第２のプレート３の上方への膨出部３０に連結された下端４ｂをそれぞれ有している。柱状部材４についても、第２のプレート３と同様に、踵部Ｈの内甲側部分および外甲側部分に沿って配設されており、踵部Ｈの中央部分には設けられていない。
【００３５】
各柱状部材４において、上端４ａは下端４ｂよりも前方位置に配置されており、各柱状部材４は、前方に傾斜して配設されている。なお、各柱状部材４の配設方向として、実質的に上下方向としたのは、水平方向と鉛直方向との間の斜め上方を含む趣旨である。また、第１、第２のプレート２、３間の間隙が各柱状部材４で仕切られることにより、第１、第２のプレート２、３間には、複数の空隙Ｃが形成されている。
【００３６】
第２のプレート３において各柱状部材４の下端４ｂが連結される膨出部３０の傾斜部（図５斜線部分）は、後方に向かうにしたがい斜め上方に傾斜して配設されている。
【００３７】
第２のプレート３の下方には、図１、図２および図５に示すように、第２のプレート３との間に間隔を隔てて踵部Ｈから中足部Ｍの前端を越えた辺りまで波状に配設された硬質樹脂製の第３のプレート５が配設されている。第３のプレート５は、中足部Ｍにおいては第２のプレート３と一体化されている。
【００３８】
第３のプレート５は、幅方向の稜線を有しかつ前後方向に進む複数の波形状部から構成された波形プレートであって、下方への膨出部５０および上方への膨出部５１を有している。また、第３のプレート５についても、第２のプレート３と同様に、踵部Ｈの内甲側部分および外甲側部分に沿って配設されており、踵部Ｈの中央部分には設けられていない（図３参照）。
【００３９】
第３のプレート５の下方への膨出部５０は、第２のプレート３の上方への膨出部３０と上下に対向配置されており、第３のプレート５の上方への膨出部５１は、第２のプレート３の下方への膨出部３１と上下に対向配置されるとともに相互に連結されている。これにより、第２のプレート３および第３のプレート５間には、複数の空隙Ｃ’が形成されている。空隙Ｃ’は、柱状部材４の下端４ｂが連結される第２のプレート３の膨出部３０の傾斜部３Ａ（図５斜線部分）の下方に設けられており、各空隙Ｃ’は、各柱状部材４に対応する位置に設けられている。
【００４０】
第１、第２のプレート２、３および柱状部材４ならびに第３のプレート５を構成する各硬質樹脂は、例えば、熱可塑性ポリウレタン（ＴＰＵ）やポリアミドエラストマー（ＰＡＥ）等の熱可塑性材料や、エポキシ樹脂や不飽和ポリエステル樹脂等の熱硬化性材料、から構成されている。この例では、第１、第２、第３のプレート２、３、５および柱状部材４は、例えば射出成形法によって一体成形されている。あるいは、第１、第２、第３のプレート２、３、５および柱状部材４は、硬質ラバーから構成されていてもよい。
【００４１】
また、第１のプレート２の上には、図１、図２、図４ないし図７に示すように、踵部Ｈから中足部Ｍをへて前足部Ｆの踏付部分まで延設された上部ミッドソール６が設けられている。上部ミッドソール６は、ソール構造体１の幅方向全体に延在しており、幅方向中央部分に配置された中央部６０と、その左右両側部に配置され、上方に向かって巻き上げられた左右一対の巻上げ部６１とを有している。また、上部ミッドソール６は、踵後端において上方に巻き上げられた巻上げ部６２を有している。
【００４２】
上部ミッドソール６は、軟質弾性部材製であって、例えば、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。
【００４３】
前足部Ｆにおいて上部ミッドソール６の前方および下方には、図１、図２および図４に示すように、下部ミッドソール７が配設されている。下部ミッドソール７も、上部ミッドソール６と同様の軟質弾性部材から構成されている。
【００４４】
第３のプレート５の下面には、図１ないし図３、および図５ないし図７に示すように、路面と接地するアウトソールプレート１０、１１、１２が固着されている。アウトソールプレート１０、１１は、踵部Ｈの外甲側に配設されるとともに、前後方向に間隔を隔てて配置されている。アウトソールプレート１２は、踵部Ｈの内甲側に配設されている。アウトソール１０、１１およびアウトソール１２間には、前後方向に延びる開孔部Ｈａが形成されている。また、下部ミッドソール７の下面には、アウトソール１３が固着されている。アウトソール１３には、幅方向に延びる溝１３ａが形成されている。
【００４５】
次に、図８において、柱状部材４の下端４ｂが連結される第２のプレート３の傾斜部３Ａは、上述したように、後方（同図右方）に向かうにしたがい斜め上方に傾斜して配設されており、当該傾斜部３Ａが水平方向の後方側に対してなす角度（つまり水平面に対して反時計回りに測った角度）αは、
０＜α≦４０  °            …（１）
に設定されており、好ましくは、
α＝１５°                  …（２）
に設定されている。
その理由は、以下のとおりである。
【００４６】
被験者に実際にランニングをしてもらい（図９Ａ参照）、走行中において蹴り出し時に後ろに蹴る力のベクトルが鉛直面に対してなす角度の時間的変化を求め、これをグラフ化したものが図９（ａ）であり、また、蹴り出し時に後ろに蹴る力の時間的変化を求め、これをグラフ化したものが同図（ｂ）である。なお、図９（ａ）中、角度が負の値になっている区間、および同図（ｂ）中、力が負の値になっている区間は、着地してから蹴り出し動作に移行するまでの間の区間に対応しており、接地面に作用する下向きの力が斜め前方に作用していることを示している。したがって、蹴り出し動作に移行した後は、接地面を後ろに蹴る力のベクトルは、鉛直面から反時計回りに測定された正の値になっている。
【００４７】
図９（ａ）より、蹴り出し動作に移行した後は、接地面を後ろに蹴る力のベクトルが鉛直面に対して反時計回りになす角度は、０〜４０［°］になっている。本実施例においては、接地面を後ろに蹴る力は、柱状部材４を介して第２のプレート３により支承されるので、第２のプレート３の傾斜部３Ａの配設方向としては、水平方向から反時計回りに測定したときに、０〜４０［°］をなしているのが好ましい。そこで、第２のプレート３の傾斜部３Ａが水平面に対して反時計回りになす角度αとして、上記（１）式のように設定したのである。
【００４８】
また、図９（ｂ）より、後ろに蹴る力Ｆｙの最大値は、２３６［ｍｓ］のときに生じており、このとき、後ろに蹴る力Ｆｙのベクトルが鉛直面に対してなす反時計回りの角度は、同図（ａ）より、１５［°］になっている。そこで、第２のプレート３の傾斜部３Ａが水平面に対して反時計回りになす角度αの好ましい値として、上記（２）式のように設定したのである。
【００４９】
次に、上述のように構成されたソール構造体１の作動について、図１０ないし図１２の模式図を用いて説明する。
図１０は、ソール構造体１における柱状部材４およびその上下端４ａ、４ｂが連結される第１のプレート２および第２のプレート３を取り出して示した模式図である。図１１および図１２は、図１０をさらに模式化して線のみで表したものであって、図１１はシューズの着地時の状態を、図１２は離地時の状態をそれぞれ示している。
【００５０】
シューズの着地時には、図１１に示すように、第１のプレート２の中央部２０に対して、シューズ着用者の足から斜め前方に向かう下向きの衝撃荷重Ｐが作用する。衝撃荷重Ｐの載荷により、柱状部材４が弾性変形（せん断変形、圧縮変形および曲げ変形）するとともに、柱状部材４の下端４ｂが連結された第２のプレート３の傾斜部３Ａが、柱状部材４の下端４ｂから作用する押付荷重Ｗにより圧縮されて空隙Ｃ’の側に向かって弾性変形する。これにより、着地時の衝撃荷重Ｐを吸収でき、クッション性を向上できる。
【００５１】
次に、シューズの離地時において、衝撃荷重Ｐが除荷されると、図１２に示すように、弾性変形していた第２のプレート３の傾斜部３Ａが元に戻ろうとし、柱状部材４の上端４ａに対して斜め前方（したがって離地方向）に反発力Ｑを作用させる。これにより、シューズの離地方向への反発力を向上できる。
【００５２】
ここで、上述した特許文献１に記載のソール構造体においては、シューズの着地時には、上下部プレートが着用者の足および接地面の間で挟持されるため、波形プレートを介して下部プレートに押付荷重が作用しても下部プレートは下方に変形することができず、その結果、波形プレートの圧縮変形が抑制されることになる。また、波形プレートが圧縮変形する際には、波形プレートの波形状部分の上側凸面が下方に沈み込むように変形するので、シューズの離地時に、圧縮変形していた波形プレートが解放する弾性反発力は、波形プレートの上側凸面を介して上部プレートに対し単に上方に向かって作用するにすぎない。
【００５３】
一方、特許文献２に記載のソール構造体においては、下部プレートの各膨出部間の上凸部分が上部プレートに対して弾性ブロックを介して連結されているので、シューズの着地時には、弾性ブロックの圧縮変形によって下部プレートの各膨出部の圧縮変形が比較的容易であるが、弾性ブロックが上下方向に配設されるとともに弾性ブロックの下端が下部プレートの上凸部分に連結されているので、弾性ブロックが圧縮変形する際には、その中心線に沿って上下方向に変形する。このため、シューズの離地時に、圧縮変形していた弾性ブロックが解放する弾性反発力は、上部プレートに対し単に上方に向かって作用するにすぎない。
【００５４】
また、特許文献３に記載のソール構造体においては、シューズの着地時には、湾曲シート部の下凸状湾曲部が圧縮変形するとともに、圧縮変形した下凸状湾曲部の後方側端部が、当該湾曲シート部の隣の湾曲シート部を押圧して圧縮変形させており、走行中の前方への荷重移動にともなって、各湾曲シート部が前方側に向かって順に折り畳まれるようにして変形する。このため、シューズの離地時に、折り畳まれるように変形していた各湾曲シート部が解放する弾性反発力は、上部シート部に対して上方または斜め後方に作用するにすぎない。
【００５５】
さらに、本実施例によれば、走行時には、前後方向に間隔を隔てて配置された複数の柱状部材４が、前方への荷重移動にともなって、順次、第２のプレート３の各傾斜部３Ａを圧縮変形させるとともに、第１のプレート２の中央部２０に対して離地方向に反発力を作用させるので、走行中の前方へのスムーズな体重移動を実現できると同時に、走行中のライド感を向上できる。
【００５６】
また、第１、第２、第３のプレート２、３、５および柱状部材４が樹脂により一体成形されるので、ソール構造体全体を単一のユニットから構成でき、これにより、シューズの組立作業が容易になる。
【００５７】
しかも、柱状部材４の下端４ｂが連結される第２のプレート３の傾斜部３Ａの下方の空隙Ｃ’が、各柱状部材４に対応して複数個設けられているので、着地時に柱状部材４により弾性変形させられる第２のプレート３の傾斜部３Ａが、当該傾斜部３Ａの隣の傾斜部３Ａの弾性変形の影響を受けにくくなっており、これにより、走行中に荷重が前方に移動していく際に、各傾斜部３Ａがそれぞれ独立して弾性変形することができ、その結果、着地時のクッション性、離地時の反発性および走行中のライド感の制御が容易になる。
【００５８】
また、第２のプレート３の上方への膨出部３０および第３のプレート５の下方への膨出部５０が上下に対向配置されているので、柱状部材４の下端４ｂが連結される第２のプレート３の傾斜部３Ａの下方に大きな空隙を確保でき、これにより、第２のプレート３の傾斜部３Ａに対して大きな弾性変形量を許容でき、その結果、着地時のクッション性および離地時の反発性をさらに向上できる。
【００５９】
なお、前記実施例では、柱状部材４の下端４ｂが、第２のプレート３の傾斜部３Ａの傾斜途中の部分（中間部分）に連結された例を示したが、本発明の適用はこれに限定されない。
【００６０】
図１３は、本発明の他の実施例によるシューズ用ソール構造体の外甲側側面の拡大部分図であって、前記実施例の図５に相当する図である。図１３において、前記実施例と同一符号は同一または相当部分を示している。
【００６１】
図１３に示すように、柱状部材４の下端４ｂは、第２のプレート３の傾斜部３Ａの後方側の終端部分、すなわち、第２のプレート３の上方への膨出部３０の頂点の位置に連結されている。
【００６２】
この場合においても、前記実施例と同様に、シューズの着地時に、シューズ着用者の足から斜め前方に向かう下向きの衝撃荷重が作用すると、柱状部材４が弾性変形（せん断変形、圧縮変形および曲げ変形）するとともに、柱状部材４の下端４ｂが連結された第２のプレート３の傾斜部３Ａ（の終端部分）が、柱状部材４の下端４ｂから作用する押付荷重により圧縮されて空隙Ｃ’の側に向かって弾性変形するので、着地時の衝撃荷重を吸収でき、クッション性を向上できる。また、シューズの離地時には、衝撃荷重の除荷にともなって、弾性変形していた第２のプレート３の傾斜部３Ａが元に戻ろうとし、柱状部材４の上端４ａに対して斜め前方（したがって離地方向）に反発力を作用させるので、シューズの離地方向への反発力を向上できる。
【００６３】
なお、本発明においては、前記実施例および前記他の実施例の双方を組み合わせた構造を採用するようにしてもよい。すなわち、柱状部材４の下端４ｂが第２のプレート３の傾斜部３Ａの傾斜途中の部分（中間部分）に連結された前記実施例に示すような構造をソール構造体の一部に採用するとともに、柱状部材４の下端４ｂが第２のプレート３の傾斜部３Ａの後方側の終端部分（つまり第２のプレート３の上方への膨出部３０の頂点の位置）に連結された前記他の実施例に示すような構造を同じソール構造体の残りの部分に採用するようにしてもよい。
【００６４】
この場合においても、前記実施例および前記他の実施例と同様に、シューズの着地時には、着地時の衝撃荷重を吸収でき、クッション性を向上できるとともに、シューズの離地時には、シューズの離地方向への反発力を向上できる。
【００６５】
前記実施例では、第２のプレート３の上方への膨出部３０と第３のプレート５の下方への膨出部５０とが上下に対向配置された例を示したが、本発明においては、各膨出部３０、５０は、必ずしも上下に対向配置されていなくてもよい。
【００６６】
また、前記実施例では、第２のプレート３が波形プレートである場合を例にとって説明したが、本発明の適用はこれに限定されない。本発明による第２のプレートについては、少なくとも、複数の柱状部材４の各下端に連結される各傾斜部３Ａが後方に向かうにしたがい斜め上方に傾斜して配設されていればよい。同様に、第３のプレート５に関しても波形プレートに限定されるものではなく、少なくとも、第２のプレート３との間に空隙を形成し得るものであればよい。
【００６７】
前記実施例では、複数の柱状部材４に各々対応する複数の空隙Ｃ’が設けられた例を示したが、本発明の適用はこれに限定されない。各柱状部材４の下方に形成される空隙は、共通のつまり単一の空隙であってもよい。
【００６８】
前記実施例では、空隙Ｃ、Ｃ’がいずれも空洞である場合を例にとって示したが、これらの空隙Ｃ、Ｃ’の双方またはいずれか一方の内部に、第２、第３のプレート３、５の弾性に影響を及ぼさない程度の軟らかい充填物（例えば軟質のスポンジ材等）を充填するようにしてもよい。
【００６９】
前記実施例では、当該ソール構造体がシューズの踵部に設けられた例を示したが、本発明によるソール構造体は、シューズの前足部に設けるようにしてもよい。
【産業上の利用可能性】
【００７０】
以上のように、本発明は、シューズ用ソール構造体に有用であり、とくに着地時のクッション性および離地方向への反発性の向上を要求されるものに適している。
【符号の説明】
【００７１】
１：  ソール構造体
２：  第１のプレート
３：  第２のプレート
３Ａ：  傾斜部
３０：  上方への膨出部
３１：  下方への膨出部
４：  柱状部材
４ａ：  上端
４ｂ：  下端
５：  第３のプレート
５０：  下方への膨出部
５１：  上方への膨出部
Ｃ’：  空隙
【先行技術文献】
【特許文献】
【００７２】
【特許文献１】特開２００３−３３９４０５号公報（図２参照）
【特許文献２】国際公開第２００６／１２９８３７号パンフレット（第１Ａ図参照）
【特許文献３】特開２００９−２４０５９０号公報（図１参照）。
【図１】
0005827051.tif 000002
【図２】
0005827051.tif 000003
【図３】
0005827051.tif 000004
【図４】
0005827051.tif 000005
【図５】
0005827051.tif 000006
【図６】
0005827051.tif 000007
【図７】
0005827051.tif 000008
【図８】
0005827051.tif 000009
【図９】
0005827051.tif 000010
【図９Ａ】
0005827051.tif 000011
【図１０】
0005827051.tif 000012
【図１１】
0005827051.tif 000013
【図１２】
0005827051.tif 000014
【図１３】
0005827051.tif 000015